(57)【要約】通信をルーティングするための方法は、通信サービスについてのリクエストを通信デバイスから傍受するステップと、前記傍受されたサービスリクエストをアプリケーションサーバへとルーティングするステップと、前記リクエストされている通信サービスを前記アプリケーションサーバからの命令に基づいて実行するステップとを含む。
2013534757.tif 000002
【特許請求の範囲】
【請求項１】
通信をルーティングするための方法であって、
通信サービスについてのサービスリクエストを通信デバイスから傍受するステップと；
前記傍受されたサービスリクエストをアプリケーションサーバへとルーティングするステップと；
前記リクエストされている通信サービスを前記アプリケーションサーバからの命令に基づいて実行するステップと
を含む、方法。
【請求項２】
前記方法はさらに、前記実行するステップの前に、前記傍受されたリクエストの起源を認証するステップを含む、
請求項１に記載の、通信をルーティングするための方法。
【請求項３】
前記通信は、音声、データおよびＳＭＳ通信のうちいずれか１つを含む、
請求項１または２記載の、通信をルーティングするための方法。
【請求項４】
前記通信デバイスはモバイルデバイスである、
請求項１〜３のうちいずれか１項記載の、通信をルーティングするための方法。
【請求項５】
前記方法はさらに、前記傍受ステップを実行する傍受手段を提供するステップを含み、
通信サービスについてのリクエストを傍受する手段は、前記モバイルデバイスのＳＩＭと、前記モバイルデバイス上のインターフェースとの間に配置された相補的ＳＩＭカードを含み、
前記インターフェースは、ＳＩＭカードと通信するように適合される、
請求項４記載の、通信をルーティングするための方法。
【請求項６】
前記傍受されたリクエストをアプリケーションサーバへとルーティングするステップは、前記傍受されたリクエストをユーザの地理的領域内のモバイルネットワークオペレータを介してアプリケーションサーバへとルーティングするステップを含む、
請求項１〜５のうちいずれか１項記載の、通信をルーティングするための方法。
【請求項７】
前記ルーティングするステップは、前記アプリケーションサーバへユーザデータパケットを送るステップを含み、
前記認証ステップは、前記データパケット中の１つ以上のデータフィールドに基づいて認証するステップを含む、
請求項２〜６のうちいずれか１項記載の、通信をルーティングするための方法。
【請求項８】
前記１つ以上のデータフィールドは、シリアル番号、前記相補的ＳＩＭと関連付けられた国際モバイル加入者識別情報（ＩＭＳＩ）、前記相補的ＳＩＭと関連付けられたＭＳＩＳＤＮ（モバイル加入者統合サービスデジタルネットワーク番号）、前記主要ＳＩＭと関連付けられたＭＳＩＳＤＮ、関連付けられたＤＩＤ（直通社内通話）番号、ＶＳＩＭプロフィール識別情報、前記発呼電話番号、および前記ユーザの位置を含む群から選択される、
請求項７記載の、通信をルーティングするための方法。
【請求項９】
前記方法はさらに、前記実行するステップの前に、前記サービスリクエストを認証するステップを含み、
前認証記するステップは、前記アプリケーションサーバによって実行される、
請求項１〜８のうちいずれか１項記載の、通信をルーティングするための方法。
【請求項１０】
前記認証するステップは、前記リクエストされている通信サービスのうち少なくとも一部を受けるための十分なアカウント残高を前記ユーザが有するか否かを決定するステップを含む、
請求項９記載の、通信をルーティングするための方法。
【請求項１１】
前記方法はさらに、前記発呼を終了するステップを含む、
請求項１〜１０のうちいずれか１項記載の、通信をルーティングするための方法。
【請求項１２】
前記方法はさらに、通信詳細の記録を保存するステップおよび前記通信についての１つ以上の詳細を傍受する手段に通知メッセージを送るステップを含み、
前記送るステップは、前記アプリケーションサーバによって実行される、
請求項１１に記載の、通信をルーティングするための方法。
【請求項１３】
前記実行するステップは、前記通信サービスの受信者と、ローミングパートナーと、前記アプリケーションサーバのプロバイダによって操作されるネットワークとの間の電話会議として前記通信サービスをルーティングするステップを含む、
請求項１記載の、通信をルーティングするための方法。
【請求項１４】
前記アプリケーションサーバのプロバイダによって操作されるネットワークは、ＶｏＩＰネットワークである、
請求項１３記載の、通信をルーティングするための方法。
【請求項１５】
前記アプリケーションサーバにルーティングするステップは、前記アプリケーションサーバへＳＭＳメッセージを送るステップによって開始される、
請求項１〜１４のうちいずれか１項記載の、通信をルーティングするための方法。
【請求項１６】
通信をルーティングするためのシステムであって、
通信サービスについてのサービスリクエストを通信デバイスから傍受する傍受手段と；
前記傍受されたサービスリクエストをルーティングするルーティング手段と；
前記傍受されたサービスリクエストを受信するアプリケーションサーバと；
前記リクエストされている通信サービスを前記アプリケーションサーバからの命令に基づいて実行する手段と；
を含む、システム。
【請求項１７】
前記システムはさらに、前記傍受されたリクエストの起源を認証する認証手段を含む、
請求項１６記載の、通信をルーティングするためのシステム。
【請求項１８】
前記認証手段は、前記アプリケーションサーバ上に設けられたコンピュータで読み出し可能な命令を含む、
請求項１７記載の、通信をルーティングするためのシステム。
【請求項１９】
前記通信デバイスは、モバイルデバイスである、
請求項１６〜１８のうちいずれか１項記載の、通信をルーティングするためのシステム。
【請求項２０】
前記傍受手段は、前記モバイルデバイスのＳＩＭと、前記モバイルデバイス上のインターフェースとの間に配置された相補的ＳＩＭカードを含み、
前記インターフェースは、ＳＩＭカードと通信するように適合される、
請求項１９記載の、通信をルーティングするためのシステム。
【請求項２１】
前記ルーティング手段は、前記傍受されたリクエストをユーザの地理的領域内のモバイルネットワークオペレータを介して前記アプリケーションサーバへとルーティングする、
請求項１６〜２０のうちいずれか１項記載の、通信をルーティングするためのシステム。
【請求項２２】
前記ルーティング手段は、ユーザデータパケットを前記アプリケーションサーバへと送り、
前記認証手段は、前記データパケット内の１つ以上のデータフィールドに基づき認証を行う、
請求項１７〜２１のうちいずれか１項記載の、通信をルーティングするためのシステム。
【請求項２３】
前記１つ以上のデータフィールドは、シリアル番号、前記相補的ＳＩＭと関連付けられた国際モバイル加入者識別情報（ＩＭＳＩ）、前記相補的ＳＩＭと関連付けられたＭＳＩＳＤＮ（モバイル加入者統合サービスデジタルネットワーク番号）、前記主要ＳＩＭと関連付けられたＭＳＩＳＤＮ、関連付けられたＤＩＤ（直通社内通話）番号、ＶＳＩＭプロフィール識別情報、前記発呼電話番号、および前記ユーザの位置を含む群から選択される、
請求項２２記載の、通信をルーティングするためのシステム。
【請求項２４】
前記アプリケーションサーバはさらに、前記サービスリクエストを認証せよとの命令を含む、
請求項１６〜２３のうちいずれか１つに記載の、通信をルーティングするためのシステム。
【請求項２５】
前記認証命令は、前記リクエストされている通信サービスのうち少なくとも一部を受けるための十分なアカウント残高を前記ユーザが有するかを決定することと、前記通信サービスの実行を認証することとを含む、
請求項２４記載の、通信をルーティングするためのシステム。
【請求項２６】
前記システムはさらに、前記通信サービスを終了する手段を含む、
請求項１６〜２４のうちいずれか１項記載の、通信をルーティングするためのシステム。
【請求項２７】
前記アプリケーションサーバは、通信詳細の記録を保存し、前記通信についての１つ以上の詳細を傍受する手段へ通知メッセージを送る、
請求項２６記載の、通信をルーティングするためのシステム。
【発明の詳細な説明】
【技術分野】
【０００１】
本出願は、米国仮出願第６１／３５７，８２５号（出願日：２０１０年６月２３日）に対する優先権を主張する。本明細書中、同文献の内容を参考のために明示的に援用する。
【０００２】
本発明は、通信分野に関し、より詳細には、通信をルーティングするためのモバイル通信および方法およびシステムに関する。
【背景技術】
【０００３】
ユーザがホームネットワークの外部にいる場合、携帯電話の発呼は、ローミング課金が必要となる場合が多く、料金が極めて高くなる場合がある。典型的な携帯電話にはＳＩＭ（加入者識別モジュール）カードが搭載されており、このＳＩＭカードを用いて、ユーザと、当該ユーザが所属しているベースネットワークとが識別される。ユーザがローミング課金から遁れようとする場合、（第２のＳＩＭカードの購入と、ローミングゾーン内における主要ＳＩＭカードと前記第２のＳＩＭカードとの代替とを行うことにより）第２のサービスを外国のサービスプロバイダから直接入手する必要が出てくる場合が多い。このような状況においては、いくつかの問題が出てくる（例えば、前記主要ＳＩＭカードを粉失する危険性、２つの別個のアカウントを持つことによる不都合、二枚のＳＩＭカードを持ち歩く必要性）。代替的解決法を挙げると、割引料金を提供しているサービスプロバイダを通じて発呼をルーティングするために特殊なローミングアクセス電話番号を利用する方法があるが、このような方法を利用するためには、ユーザは余分な番号をダイヤルして各電話発呼を完了しなければならず、また、これらのアクセス番号を旅行時に覚えておく必要もある。発信時における料金節約のために発呼カードのみを用いるユーザもいるものの、この発呼カードは着呼については役に立たない。実際、ローミングゾーン内にいるときに発呼を受信する際に発生する着呼および課金については、当該発呼を全て無視する以外の他に対処する方法がユーザ側に存在していない。
【先行技術文献】
【特許文献】
【０００４】
【特許文献１】米国特許出願公開第２００７／００７２５９０号明細書
【発明の概要】
【発明が解決しようとする課題】
【０００５】
ローミングゾーンにいるときにデータ通信およびインターネットサービスアクセスを行おうとする際にも、特に旅行または出張時におけるレジャーおよび旅行者のための旅行支援のためにスマートフォンの理由が普及するにつれて、同様の問題が発生する。特殊なアクセスローミング電話番号または発呼用カードを経由した場合、ローミングレートの継続無しには、データ通信へのアクセスは不可能であることが多い。さらに、ユーザがデータローミングをオフにするのを忘れてしまうこともよくあり、その場合、思いがけず高額課金に繋がる場合がある。なぜならば、スマートフォンアプリケーションにおいては、バックグラウンドでデータアクセスが行われることが多いからである。これらの問題を全体的に軽減することは困難であるものの、他のデータ通信サービスプロバイダ源へのアクセスの提供またはこのような通信の別の仲介者を介したルーティングを行うことが望ましい場合がある。同様の従来技術の問題は、ＳＭＳテキストメッセージングにおいても存在する。
【課題を解決するための手段】
【０００６】
本発明の一実施形態によれば、通信をルーティングするための方法が提供される。前記
方法は、以下を含む：通信サービスについてのリクエストを通信デバイスから傍受するステップ、前記傍受されたサービスリクエストをアプリケーションサーバへとルーティングするステップと、前記リクエストされている通信サービスを前記アプリケーションサーバからの命令に基づいて実行するステップ。本発明の一態様によれば、前記実行ステップの前に、前記傍受されたリクエストの起源を認証するステップが提供される。前記通信は、音声、データおよびＳＭＳ通信のうちいずれか１つであり得る。好適には、前記通信デバイスはモバイルデバイスである。
【０００７】
本発明の一態様によれば、前記方法は、前記傍受ステップを実行する傍受手段を提供するステップを含む。好適には、前記傍受手段は相補的ＳＩＭカードであり、前記モバイルデバイスのＳＩＭと、前記モバイルデバイス上のインターフェースとの間に配置される。前記インターフェースは、ＳＩＭカードと通信するように適合される。
【０００８】
本発明の別の態様によれば、前記傍受されたリクエストをアプリケーションサーバへとルーティングするステップは、前記傍受されたリクエストをユーザの地理的領域内のモバイルネットワークオペレータを介して前記アプリケーションサーバへとルーティングするステップを含む。
【０００９】
本発明の別の態様によれば、前記ルーティングステップは、前記アプリケーションサーバへユーザデータパケットを送るステップを含み、前記認証ステップは、前記データパケット内の１つ以上のデータフィールドに基づいて認証するステップを含む。前記１つ以上のデータフィールドは好適には、シリアル番号、前記相補的ＳＩＭと関連付けられた国際モバイル加入者識別情報（ＩＭＳＩ）、前記相補的ＳＩＭと関連付けられたＭＳＩＳＤＮ（モバイル加入者統合サービスデジタルネットワーク番号）、前記主要ＳＩＭと関連付けられたＭＳＩＳＤＮ、関連付けられたＤＩＤ（直通社内通話）番号、ＶＳＩＭプロフィール識別情報、前記発呼電話番号およびユーザの位置を含む群から選択される。
【００１０】
本発明の別の態様によれば、前記実行ステップの前に、前記通信サービスリクエストを認証するステップが提供される。前認証記ステップは、前記アプリケーションサーバによって実行される。好適には、前記認証ステップは、前記リクエストされている通信サービスのうち少なくとも一部を受けるための十分なアカウント残高を前記ユーザが有するか否かを決定するステップを含む。
【００１１】
本発明の別の態様によれば、前記通信サービスは、前記アプリケーションサーバ、モバイルネットワークオペレータおよび前記ユーザのうち１つによって終了される。
【００１２】
本発明の別の態様によれば、前記アプリケーションサーバは、通信詳細の記録を保存するステップと、ステップと、前記通信についての１つ以上の詳細を傍受する手段へ通知メッセージを送るステップとをさら行う。
【００１３】
本発明の別の態様によれば、前記実行ステップは、前記通信サービスの受信者と、ローミングパートナーと、前記アプリケーションサーバのプロバイダによって操作されるネットワークとの間で前記通信サービスを電話会議としてルーティングするステップを含む。好適には、前記アプリケーションサーバのプロバイダによって操作されるネットワークはＶｏＩＰネットワークである。
【００１４】
本発明の別の態様によれば、前記アプリケーションサーバへルーティングするステップは、前記アプリケーションサーバへＳＭＳメッセージを送るステップによって開始される。
【００１５】
本発明の別の実施形態によれば、通信をルーティングするためのシステムが提供される。前記システムは、通信サービスについてのリクエストを通信デバイスから傍受する手段と、前記傍受されたサービスリクエストをルーティングする手段と、前記傍受されたサービスリクエストを受信するアプリケーションサーバと、前記リクエストされている通信サービスを前記アプリケーションサーバからの命令に基づいて実行する手段とを含む。任意選択的に、前記システムは、前記傍受されたリクエストの起源を認証する手段をさらに含む。好適には、前記通信デバイスはモバイルデバイスである。
【００１６】
本発明の一態様によれば、前記認証手段は、前記アプリケーションサーバ上に設けられたコンピュータで読み出し可能な命令を含む。
【００１７】
本発明の別の態様によれば、前記傍受手段は、相補的ＳＩＭカードを含む。前記相補的ＳＩＭカードは、前記モバイルデバイスのＳＩＭと、前記モバイルデバイス上のインターフェースとの間に設けられる。前記インターフェースは、ＳＩＭカードと通信するように適合される。
【００１８】
本発明の別の態様によれば、前記ルーティング手段は、ユーザデータパケットを前記アプリケーションサーバへと送り、前記認証手段は、前記データパケット内の１つ以上のデータフィールドに基づいて認証する。前記１つ以上のデータフィールドは好適には、シリアル番号、前記相補的ＳＩＭと関連付けられた国際モバイル加入者識別情報（ＩＭＳＩ）、前記相補的ＳＩＭと関連付けられたＭＳＩＳＤＮ（モバイル加入者統合サービスデジタルネットワーク番号）、前記主要ＳＩＭと関連付けられたＭＳＩＳＤＮ、関連付けられたＤＩＤ（直通社内通話）番号、ＶＳＩＭプロフィール識別情報、前記発呼電話番号、およびユーザの位置を含む群から選択される。
【００１９】
本発明の別の態様によれば、前記アプリケーションサーバは、前記通信サービスリクエストを認証せよとの命令をさらに含む。
【００２０】
本発明の別の態様によれば、前記認証命令は、前記リクエストされている通信サービスのうち少なくとも一部を受けるための十分なアカウント残高を前記ユーザが有するか否かをステップと、前記ユーザが十分なアカウント残高を有する場合、前記通信サービスの実行を認証するステップとを含む。
【００２１】
本発明の別の態様によれば、前記システムは、前記通信サービスを終了する手段をさらに含む。
【００２２】
本発明の別の態様によれば、前記アプリケーションサーバは、通信詳細の記録を保存し、前記通信についての１つ以上の詳細を傍受する手段へ通知メッセージを送る。
【００２３】
本発明の目的は、本明細書中に記載された従来技術の問題のうち１つ以上に対する解消法を提供する。本発明のさらなる目的は、通信をルーティングする（特に、モバイルデバイスから発生した通信またはモバイルデバイスに向かって方向付けられた通信をルーティングする）ための新規の方法およびシステムを提供することである。
【００２４】
当業者であれば、以下の本発明の詳細な記載と添付図面と共に読めば、本発明の他の利点および特徴ならびにさらなる利点および特徴を理解する。
【００２５】
以下、本発明についてひとえに例示目的のためにより詳細に説明する。図面中、類似の参照番号は、類似の要素を指す。
【図面の簡単な説明】
【００２６】
【図１】本発明による方法の一実施形態を示すフローチャートである。
【図２】本発明の態様を実行するためのコンピュータシステムの模式図である。
【図３】本発明の一態様による相補的ＳＩＭを含むモバイルデバイスの斜視図である。
【図４】本発明による１つの種類の通信を示すフロー図である。
【図５】図１に示す認証ステップを示すフローチャートである。
【図６】本発明による１つの発呼ルーティングを示すフロー図である。
【図７】本発明の一実施形態によるシステムのフロー図である。
【発明を実施するための形態】
【００２７】
図１を参照して、本発明の一実施形態によれば、通信（特に、特に少なくとも１つのモバイルデバイスが関与する通信）をルーティングするための方法が提供される。前記方法は、通信サービスについてのリクエストを傍受手段によって通信デバイスから傍受するステップ１１０と、前記傍受されたサービスリクエストをアプリケーションサーバへとルーティングするステップ１２０と、前記傍受されたリクエストの起源を認証するステップ１３０と、前記アプリケーションサーバによって指定された前記リクエストされている通信サービスを実行するステップ１４０とを含む。前記通信は好適には、本発明のプロバイダによって維持されるＶｏＩＰネットワークを介して実行されるか、または、本発明のプロバイダのローミングパートナーのネットワークを通じて実行される。
【００２８】
本明細書中、上記した方法の多様なステップと、異なる本発明の態様に関連するさらなる好適なステップとを実行するための本発明の多様な実施形態について説明する。本記載全体において、通信のルーティングと、通信に関連する通信および多様な他のステップを行うステップとについて説明する。本出願の目的のため、電話、携帯電話、スマートフォン、タブレット通信デバイスおよびＳＩＭカードを用いて作動し得る多様な他のデバイスによって有効に行われるものに関連する。本発明に関連する特定の通信モードを挙げると、電話発呼、ＳＭＳメッセージング、マルチメディアメッセージングおよびデータサービスがある。本発明は、これらのモードを介して通信を開始および完了する特定のプロトコルに限定されず、本明細書中特定のプロトコルについて言及した場合、当該言及はひとえに本発明の理解を深めるためのものであり、本発明を実施するための好適な実施形態を説明するためのものである。好適な実施形態において携帯電話発呼について言及する場合、当該言及はメッセージングサービスおよびデータサービスに等しく適用され得、当業者であれば、これらのサービスの実行を理解する。
【００２９】
好適な実施形態によれば、本発明は、モバイル通信デバイス（例えば、携帯電話またはスマートフォン）によって開始される通信に関連する。詳細には、本発明は、ＳＩＭカード技術を用いた携帯電話またはスマートフォンに関する。通信サービスについてのリクエストを傍受する手段の好適な実施形態について、本明細書中により詳細に説明する。アプリケーションサーバは、１つ以上のコンピュータであり得、サーバとして機能することができ、前記モバイルデバイスからの通信を受信するように配置される。典型的例を図２中に示す。図２において、複数の物理的コンポーネントおよび論理コンポーネントが図示される（例えば、中央処理装置（「ＣＰＵ」）２４、ランダムアクセスメモリ（「ＲＡＭ」）２８、入力／出力（「Ｉ／Ｏ」）インターフェース３２、ネットワークインターフェース３６、不揮発性記憶装置４、およびローカルバス４４）。ローカルバス４４により、ＣＰＵ２４と、その他のコンポーネントとの通信が可能になる。ＣＰＵ２４は、オペレーティングシステムと、複数のソフトウェアシステムおよび／またはソフトウェアモジュールとを実行する。ＲＡＭ２８は、比較的高応答性の揮発性記憶装置をＣＰＵ２４へ提供する。Ｉ／Ｏインターフェース３２により、１つ以上のデバイス（例えば、キーボード、マウス）から入力を受信することが可能となり、出力デバイス（例えば、ディスプレイおよび
／またはスピーカ）への情報の出力が可能となる。ネットワークインターフェース３６により、本明細書中に記載の本発明の相互のネットワーク通信が可能な他の要素との通信が可能となる。不揮発性記憶装置４は、前記オペレーティングシステムおよびプログラムを記憶する。前記コンピュータシステムの動作時において、前記オペレーティングシステム、前記プログラムおよびデータデータを不揮発性記憶装置４から取り出し、ＲＡＭ２８中に配置することで、実行を容易化する。
【００３０】
図１のステップ１１０によれば、本発明は、通信サービスについてのリクエストを通信デバイスから傍受するステップを含む。本発明の一実施形態によれば、前記通信サービスリクエストは、モバイルデバイス（特に、ＳＩＭカードによって動作するモバイルデバイス）上における電話発呼の開始を要求するリクエストである。当業者に公知のように、今日利用されているほとんどのモバイルデバイスにおいては、ＳＩＭ（加入者識別モジュール）カードを用いて当該携帯電話のユーザを識別し、特定のネットワークオペレータのネットワークへモバイルデバイスを登録するための情報を含む。前記ネットワーク上のモバイルデバイスを識別するための他のネットワーク特有の情報も、当業者に公知のように前記ＳＩＭカード上に保存される。このようなＳＩＭカードの動作は概して公知であると思われるため、本明細書中詳述を控える。通信サービスについてのリクエストを芒種する手段の一例として、相補的ＳＩＭカードの提供がある。前記相補的ＳＩＭカードは、モバイルデバイス内に適合し、当該電話にとってネイティブであるＳＩＭカード（本明細書中、以下主要ＳＩＭカードと呼ぶ）と、前記モバイルデバイスと前記主要ＳＩＭカードとの間に設けられたインターフェースとの間に配置される。このようにして、相補的ＳＩＭカードは、前記主要ＳＩＭカードと、（相補的ＳＩＭカードが無い場合に前記主要ＳＩＭカードと相互作用していたであろう）前記モバイルデバイス上のインターフェースとの間に物理的リンクを提供するように、配置される。前記相補的ＳＩＭの厚さは、前記主要ＳＩＭと前記電話そのものとの間の既存のモバイルデバイス内に適合できるような十分に肉薄である。図３を参照して、代表的相補的ＳＩＭ３００の模式図が図示されている。この相補的ＳＩＭ３００は、主要ＳＩＭ３１０と、モバイルデバイス３２０との間に配置される。相補的ＳＩＭ３００は、前記電話中に永久に保存しておいてもよいし、あるいは容易に取り外すことも可能である。広範に言うと、相補的ＳＩＭ３００により前記主要ＳＩＭとモバイルデバイスとの間に中間接続が可能となり、これにより、前記主要ＳＩＭと前記モバイルデバイスとの間の通信を傍受することが可能になる。図示のように、先ず主要ＳＩＭ３１０を「Ａ」においてモバイルデバイス３３０から取り外すと、相補的ＳＩＭは、「Ｂ」においてモバイルデバイス３３０の接触部分に挿入される。最後に、主要ＳＩＭ３１０は「Ｃ」において相補的ＳＩＭと接触する。
【００３１】
図１のステップ１１０において示すような通信サービスリクエストは、ユーザが電話発呼を行うかまたは受信する場合、ＳＭＳを送信または受信する場合、または図４に示すようにモバイルデバイス４１０からのデータサービスへのアクセスを試みた場合に発生する。前記ユーザのリクエストは傍受され、相補的ＳＩＭ４２０により、現在前記ユーザが居る地理的領域内のモバイルネットワークオペレータ４３０を介してアプリケーションサーバ４４０へとルーティングされる。前記ユーザのリクエストの前記アプリケーションサーバ４４０へのルーティングは、前記リクエストの発生理由であるサービスの種類に応じて異なる。ただし、これらのリクエストは典型的には、ＳＭＳ、ＵＳＳＤまたはＨＴＴＰメッセージを前記アプリケーションサーバへと送る前記相補的ＳＩＭによって行われる。
【００３２】
アプリケーションサーバ４４０は、前記ユーザの識別情報を確認し、前記ユーザおよびよって前記相補的ＳＩＭが本発明のサービスプロバイダに登録しているとことを確認するステップを行う。前記リクエストをアプリケーションサーバ４４０へとルーティングするステップは、データパケットを含み得る。前記データパケットは、以下のうち１つ以上から選択されたデータを含む：シリアル番号、相補的ＳＩＭと関連付けられた国際モバイル
加入者識別情報（ＩＭＳＩ）、前記相補的ＳＩＭと関連付けられたＭＳＩＳＤＮ（モバイル加入者統合サービスデジタルネットワーク番号）、前記主要ＳＩＭと関連付けられたＭＳＩＳＤＮ、関連付けられたＤＩＤ（直通社内通話）番号、ＶＳＩＭプロフィール識別情報、前記発呼電話番号、前記ユーザの位置、および前記通信リクエストの宛先の識別および決定において有用となり得る多様な他のデータ。他の種類の通信サービスリクエストのために、多様な他の適用可能なデータがデータパケット中に含まれる。ユーザの認証は、上記したユーザデータパケットに基づき得る。ユーザデータパケットは、以下の記録のうち１つ以上を用いたサーバ側識別をさらに含み得る：一意のアカウント識別番号、発呼フローシナリオ識別番号、顧客アカウント番号、関連付けられたＤＩＤ番号、主要ＳＩＭの国番号、前記主要ＳＩＭのネットワークオペレータのモバイルネットワークコード、ユーザのデバイスと関連付けられた電話番号関連付けられた、顧客アカウントがアクティブであるかを示すフラグ、前記顧客アカウントがマルチユーザアカウントであるかを示すフラグ、前記相補的ＳＩＭに対して一意なコード、前記相補的ＳＩＭと関連付けられたシリアル番号、ユーザのユーザプロフィールに属する電話番号、現在のバーチャルプロフィールのＭＳＩＳＤＮおよびバーチャルＳＩＭプロフィール識別情報。前記ユーザを本発明のプロバイダの顧客として認証した後、前記アプリケーションサーバは、前記サービスリクエストの認証を提供するステップに進み得る。あるいは、前記ユーザが認証できない場合、セッションは終了する。
【００３３】
図１に示す任意選択的認証ステップ１３５は、例えばサーバ側チェックを行った後、前記リクエストされている通信サービスについての前記ユーザの支払い能力を確認し得る発呼を完了する。図５は、認証ステップの好適な実施形態を示す。ステップ５１０において、前記発呼リクエストの検証を（例えば前記ユーザのアカウント種類を確認することによって）行う。次に、前記アプリケーションサーバは、ステップ５２０において、前記サービスリクエストと、アカウント残高とを突き合わせて認証する。前記アプリケーションサーバは好適には、前記リクエストされたサービスの１分あたりのコストを決定し、アカウント残高を確認し、前記アカウント残高がサービスを少なくとも１分間だけ受けるのに十分であるかを決定する。前記アカウント残高が１分間のサービスを受けるためのコストよりも低い場合、前記アプリケーションサーバはセッションを終了し、残高が不十分である旨の通知を任意選択的に当該モバイルデバイスへ送る。最後に、ステップ５３０において、前記アプリケーションサーバは、前記サービスリクエストを認証し、電話６００からの電話発呼リクエストの場合において図６に示すようにリクエスト者に確認し、その後、アプリケーションサーバ６２０は、会議生成リクエストをＶｏＩＰソフトスイッチ６１０へ送り、発呼受信器６３０による発呼を（任意選択的にモバイルネットワークオペレータ６４０を介して）完了する。
【００３４】
図１のステップ１４０において、前記アプリケーションサーバは、通信サービスリクエストのルーティングを通信完了に適した様態で行う。通信完了においては、多様な可能な方法があり、リクエストされている通信の種類、通信の起源およびユーザの位置に応じて用いられる。以下、これらの実行の多様な実施形態についてさらに説明する。
【００３５】
ここで図７を参照して、本発明の別の実施形態によるシステム７００の最上位図が図示されている。システム７００は、上記した方法を実行するための１つの可能なシステムである。アプリケーションサーバ７２０が設けられる。アプリケーションサーバ７２０は、モバイルデバイス７０５からの全発呼リクエストをローカルネットワーク（例えば、ローミングパートナー７６０によって実行されるもの）を介して取り扱い、発呼活動を追跡し、例えば課金についての発呼データを中央データベース中に維持する。アプリケーションサーバ７２０は好適には、多様なモバイル通信ローミングパートナー７６０と直接通信することができる。ローミングパートナー７６０との通信は、本発明のサービスプロバイダによって確立され、ローミングパートナーのネットワークへのアクセス料金は事前に交渉
され、好適にはユーザにとって好ましい料金であるとよい。ローミングパートナーは、信頼のおけるネットワークオペレータであり、特殊なローミングサービスの実行について本発明のオペレータと所定の契約を交わしている。本発明のオペレータはまた、データベース７７０も維持する。データベース７７０は、アプリケーションサーバ７２０、サードパーティデータベース７８０および他のコストセンター７９０と通信して、異なるサービスプロバイダと相互作用する。前記アプリケーションサーバはまた、信頼できないネットワークオペレータから送られてきたメッセージについてのリクエストを境界コントローラ７３０から受領し、これらのリクエストを相応に取り扱う。境界コントローラ７３０は、信頼できないソースから来たメッセージ（例えば、ＧＰＲＳプロトコル下において動作しているとき）からアプリケーションサーバを保護するためのファイアウォールを含み得る。好適な実施形態において、境界コントローラ７３０は、メッセージトランスレータとしても機能し、前記アプリケーションサーバとの通信のための標準通信プロトコルを生成する。
【００３６】
メッセージゲートウェイ７４０は好適には、ＳＭＳ通信を取り扱う。選択されたメッセージゲートウェイ７４０がファイアウォール能力を有する場合、メッセージゲートウェイ７４０はアプリケーションサーバ７２０と直接通信することができ、選択されたメッセージゲートウェイ７４０がファイアウォール能力を有さない場合、前記メッセージゲートウェイは境界コントローラ７３０を通じてルーティングされる。典型的には、メッセージゲートウェイ７４０はサードパーティによって提供および実行される。
【００３７】
ＶｏＩＰスイッチ７５０は、発呼を外部電話、ＶｏＩＰネットワーク８００およびＤＩＤサービスプロバイダ８１０へ接続するために設けられる。任意選択的に、サードパーティサービスは、ＶｏＩＰスイッチ７５０を管理し、発呼ルーティングおよび課金を決定する。サードパーティサービスは、ネットワークオペレータからの請求書を確認するために用いられる。このサードパーティは、自身のデータベース中の全発呼についての統計全ても保存し得る。ＶｏＩＰネットワークおよびサービスプロバイダの動作は一般的に当該分野において公知であるため、本明細書中において詳述を控える。
【００３８】
本発明に関連するハードウェア、ソフトウェア、インターフェースについて上述してきたが、以下においては、本発明を実施するための多様なハードウェア要素間の関係について説明する。
【００３９】
好適には、本発明を用いてオンラインサービス（例を非限定的に挙げると、支払い実行、アカウント補充、支払い履歴の確認、銀行口座振替、ユーザプロフィール更新、電話番号、発呼ブロック、加入、短縮ダイヤル、および当業者に公知の多様な他の電話アカウント管理サービス）へアクセスする顧客のためのインターネットウェブサイトが提供される。
【００４０】
本発明の実施において、ユーザがローミング領域に入ったかまたは１つのローミングゾーンから別のローミングゾーンへと移動した場合、相補的ＳＩＭカードはその都度ＳＭＳ通知をアプリケーションサーバ７２０へと送る。また、発呼が開始された場合、相補的ＳＩＭカードは、別のＳＭＳを前記アプリケーションサーバ７２０へとさらに送る。これらのＳＭＳメッセージはそれぞれ、２つの仲介者（すなわち、ＳＭＳアグリゲータ８２０およびメッセージゲートウェイ７４０）を通じて移動し得る。そのため、この段階において、以下の３つの通信インターフェースが存在する：（ｉ）ＳＭＳ／ＳＭＰＰ間の変換を必要とする、相補的ＳＩＭと、ＳＭＳアグリゲータ８２０との間の通信；（ｉｉ）ＳＭＰＰ／ＨＴＴＰ／ＸＭＬ間の変換を必要とする、ＳＭＳアグリゲータ８２０と、メッセージゲートウェイ７４０との間の通信、および（ｉｉｉ）メッセージゲートウェイ７４０と、アプリケーションサーバ７２０との間の通信。一実施形態において、メッセージゲートウェ
イ７４０は、アプリケーションサーバ７２０とは直接通信できないが、先ず境界コントローラ７３０を通じて方向付けられ得る。
【００４１】
前記相補的ＳＩＭは、ＵＳＳＤを介してローミングパートナーに対する発呼をさらに開始し得る。アプリケーションサーバ７２０は、この通信を行うためのインターフェース仕様を必要とし得る。この種のインターフェースは、多様な通信会社から提供することもできるし、あるいはローミングパートナーから直接得ることも可能である、
【００４２】
相補的ＳＩＭはさらに、ＧＰＲＳを介して境界コントローラ７３０への発呼を開始し、その後アプリケーションサーバ７２０への発呼を開始し得る。
【００４３】
本発明による方法およびシステムの多様な態様について説明してきたが、以下、使用時において典型的に遭遇する複数の実際的例について説明する。当業者であれば理解するように、これらの例は上記記載の多様な実施形態を示すものであり、本発明の範囲を限定するものではない。
【００４４】
例Ｉ
【００４５】
ネイティブゾーン（すなわち、非ローミング）ゾーンに居るユーザが、長距離電話発呼を開始する。相補的ＳＩＭは、上記サービスリクエストを傍受し、ＳＭＳをアプリケーションサーバへ送る。前記アプリケーションサーバは、前記ユーザの識別情報を認証し、前記ユーザのアカウント残高を確認し、前記リクエストを認証または拒絶する。前記長距離発呼が実行されると、前記アプリケーションサーバは、前記サービス時間のカウントを開始する。前記発呼は、以下のパーティのうちいずれかによって終了され得る：発呼者、受信器、モバイルネットワークプロバイダ、またはアプリケーションサーバ。前記発呼が終了すると、前記アプリケーションサーバは前記セッションを削除し、発呼詳細記録を保存し、以下の情報と共に通知メッセージを記相補的ＳＩＭへと送る：発呼継続時間、発呼価格および任意選択的に節約額。
【００４６】
例ＩＩ
【００４７】
ユーザは、ローミングゾーン内におりかつ母国外にいる。そのため、相補的ＳＩＭカード上のＶＳＩＭ（バーチャルＳＩＭ）プロフィールがアクティブになっている。前記相補的ＳＩＭは、サービスリクエストを傍受し、ＵＳＳＤメッセージをアプリケーションサーバへ送る。前記アプリケーションサーバは、ユーザの識別情報を認証し、前記ユーザの位置およびローミングパートナーの利用可能性を確認し、アカウント残高を確認し、前記サービスリクエストを認証または拒絶する。その後、前記ユーザの位置と、最も有効なアプローチと、特定のローミングパートナーの利用可能性とに応じて、３つのシナリオのうち１つを前記アプリケーションサーバが選択する。第１のシナリオにおいて、前記発呼における両パーティ（すなわち、発呼者および受信器）が前記ローミングパートナーによって取り扱われる。そのため、認証後、選択されたローミングパートナーのゲートウェイを介して通信が行われる。第２のシナリオにおいて、前記発呼者は前記ローミングパートナーによって取り扱われ、前記発呼受信器は本発明のサービスプロバイダのゲートウェイによって取り扱われる。最後に、第３のシナリオにおいて、前記発呼者および前記受信器双方が本発明のサービスプロバイダのゲートウェイによって取り扱われる。
【００４８】
第１のシナリオに基づいて発呼を実行する場合、前記アプリケーションサーバは、認証応答を前記ローミングパートナーへ送る。前記ローミングパートナーは、発呼者に対する発呼を発生させ、前記発呼が接続されるまで待機し、「発呼処理中」メッセージを前記アプリケーションサーバへと送る。前記アプリケーションサーバは、前記発呼者について課
金セッションを開始する。前記ローミングパートナーは、前記受信器に対する発呼を開始し、前記発呼が接続されるのを待機し、発呼処理中メッセージを前記アプリケーションサーバへと送る。前記アプリケーションサーバは、前記受信器について課金セッションを開始する。
【００４９】
第２のシナリオに基づいて発呼を実行する場合、前記アプリケーションサーバは、認証応答を前記ローミングパートナーへと送る。前記ローミングパートナーは、発呼が接続されるのを待機し、発呼進捗メッセージを前記アプリケーションサーバへ送る。前記アプリケーションサーバは、前記発呼者について課金セッションを開始する。前記ローミングパートナーは、自身のゲートウェイ（例えば、ＩＭＧＳＳ７−ＳＩＰゲートウェイ）を介して受信器への発呼を発生させる。このゲートウェイは、本発明のサービスプロバイダへとルーティングされる。その後、前記ローミングパートナーは、前記発呼が接続されるのを待機し、発呼進捗メッセージを前記アプリケーションサーバへと送る。
【００５０】
第３のシナリオに基づいて発呼を実行する場合、前記アプリケーションサーバは、認証応答およびルーティング情報を前記ローミングパートナーへ送る。前記ローミングパートナーは、ローミングネットワークからのモバイルステーションローミング番号をリクエストする。その後、前記ローミングパートナーは、自身のゲートウェイを介して前記発呼者に対する前記発呼を発生させ、前記発呼が接続されるまで待機し、発呼進捗メッセージを前記アプリケーションサーバへと送る。前記アプリケーションサーバは、前記発呼者について課金セッションを開始する。前記ローミングパートナーは、自身のゲートウェイを介して受信器への発呼を発生させ、前記発呼が接続されるのを待機し、発呼進捗メッセージを前記アプリケーションサーバへと送る。その後、前記アプリケーションサーバは、前記受信器について課金セッションを開始する。これらの場合双方において、上記したゲートウェイは、本発明のサービスプロバイダによって作動されるネットワークへとルーティングされるＩＭＧＳＳ７−ＳＩＰゲートウェイであり得る。
【００５１】
この例において、サービスが認証されかつシナリオゲートウェイによって選択されたものが発呼者と対応する場合、前記発呼者が応答し、前記発呼が前記受信器へと送られる。前記受信器が応答した後、通信が確立され、前記アプリケーションサーバはサービス時間の計測を開始するする。前記発呼は、発呼に関わるパーティのうち任意のパーティ（すなわち、発呼者、受信器、ネットワーク、アプリケーションサーバまたはローミングパートナー）によって終了得る。前記発呼が終了すると、前記アプリケーションサーバはセッションを削除し、発呼詳細記録を保存し、（発呼継続時間、発呼価格および任意選択的に節約額に関する情報と共に）通知メッセージを相補的ＳＩＭへと送る。
【００５２】
例ＩＩＩ
【００５３】
この例において、ユーザがローミングパートナーゾーン内にいる場合、直接発呼が開始される。この場合、相補的ＳＩＭは、サービスリクエストを傍受しない。すなわち、発呼リクエストは、前記リクエストをアプリケーションサーバへと送ったローミングパートナーへ直接送られる。前記アプリケーションサーバは、ユーザの識別情報を認証し、ユーザの位置を決定し、アカウント残高を確認した後、前記アプリケーションサーバは、前記ローミングパートナーのゲートウェイを通じて送られたサービスリクエストを認証または拒絶する。前記サービスが開始されると、前記アプリケーションサーバはサービス時間の計測を開始する。前記発呼は、前記発呼の実行に関与するパーティのうち任意のパーティによって終了され得る。前記発呼が終了されると、前記アプリケーションサーバはセッションを削除し、発呼詳細記録を保存し、（発呼継続時間、発呼価格および任意選択的に節約額に関連する情報と共に）通知を前記相補的ＳＩＭへ送る。
【００５４】
例ＩＶ
【００５５】
この例において、ユーザがローミングゾーン内にいる間、本発明のプロバイダの直通社内通話（ＤＩＤ）サービスを介して発呼を転送する。前記ユーザの自宅電話番号へ送られてきた全着呼を、下記に概要を示すようなＤＩＤ番号およびサービスを介して前記ユーザの携帯電話へと転送する。本発明のプロバイダのＶｏＩＰゲートウェイは、相補的ＳＩＭを有するユーザとの通信についてのリクエストを受信する。前記ゲートウェイは、前記サービスリクエストをアプリケーションサーバへ送り、認証が成功した後、前記ローミングパートナーのゲートウェイを介して発呼を前記相補的ＳＩＭへと送る。前記発呼は、上記例と同様に、関与するパーティのうち任意のパーティによって終了され得る。前記発呼が終了すると、前記アプリケーションサーバはセッションを削除し、発呼詳細記録を保存し、発呼完了詳細と共に通知メッセージを前記相補的ＳＩＭへ送る。
【００５６】
例Ｖ
【００５７】
この例において、相補的ＳＩＭユーザはローミングゾーン内におり、アプリケーションサーバは、本発明のプロバイダによって動作されるネットワークを介して発呼をルーティングすることを決定する。この決定は、コスト有効性またはルート利用可能性に基づいて下される。ローミングパートナーは、前記ユーザのＶＳＩＭＭＳＩＳＤＮ番号についての要求を受信し、認証リクエストを前記アプリケーションサーバへ送る。前記リクエストが認証されると、前記アプリケーションサーバは、ルーティング決定を下し、前記ローミングパートナーに応答する。
【００５８】
ここで、本発明の現時点において好適な実施形態についての記載を終了する。上記の記載はひとえに例示目的のためのものであり、網羅的なものまたは本発明を開示の様態そのものに限定するものではない。
【図１】
2013534757.tif 000003
【図２】
2013534757.tif 000004
【図５】
2013534757.tif 000005
【図３】
2013534757.tif 000006
【図４】
2013534757.tif 000007
【図６】
2013534757.tif 000008
【図７】
2013534757.tif 000009
【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
モバイルデバイス通信をルーティングする方法であって、
通信サービスについてのサービスリクエストを傍受手段の提供によってモバイルデバイスから傍受するステップであって、前記傍受手段は、前記モバイルデバイスのＳＩＭカードと、前記モバイルデバイス上のインターフェースとの間に配置された相補的ＳＩＭカードを含み、前記インターフェースは、前記ＳＩＭカードと通信するように適合される、ステップと；
前記傍受されたサービスリクエストをアプリケーションサーバへとルーティングするステップと；
前記リクエストされている通信サービスを前記アプリケーションサーバからの命令に基づいて実行するステップと、
を含む、方法。
【請求項２】
前記方法はさらに、前記実行するステップの前に、前記モバイルデバイスを認証するステップを含む、
請求項１記載の、通信をルーティングするための方法。
【請求項３】
前記通信は、音声、データおよびＳＭＳ通信のうちいずれか１つを含む、
請求項１または２記載の、通信をルーティングするための方法。
【請求項４】
前記傍受されたリクエストをアプリケーションサーバへとルーティングするステップは、前記傍受されたリクエストをユーザの地理的領域内のモバイルネットワークオペレータを介してアプリケーションサーバへとルーティングするステップを含む、
請求項１〜３のうちいずれか１項記載の、通信をルーティングするための方法。
【請求項５】
前記ルーティングするステップは、前記アプリケーションサーバへユーザデータパケットを送るステップを含み、前記認証ステップは、前記データパケット中の１つ以上のデータフィールドに基づいて認証するステップを含む、
請求項２記載の、通信をルーティングするための方法。
【請求項６】
前記１つ以上のデータフィールドは、シリアル番号、前記相補的ＳＩＭと関連付けられた国際モバイル加入者識別情報（ＩＭＳＩ）、前記相補的ＳＩＭと関連付けられたＭＳＩＳＤＮ（モバイル加入者統合サービスデジタルネットワーク番号）、前記ＳＩＭと関連付けられたＭＳＩＳＤＮ、関連付けられたＤＩＤ（直通社内通話）番号、ＶＳＩＭプロフィール識別情報、発呼電話番号、およびユーザの位置を含む群から選択される、
請求項５記載の、通信をルーティングするための方法。
【請求項７】
前記方法はさらに、前記実行するステップの前に、前記サービスリクエストを認証するステップを含み、
前認証記するステップは、前記アプリケーションサーバによって実行される、
請求項１〜６のうちいずれか１項記載の、通信をルーティングするための方法。
【請求項８】
前記認証するステップは、前記リクエストされている通信サービスのうち少なくとも一部を受けるための十分なアカウント残高を前記ユーザが有するか否かを決定するステップを含む、
請求項７記載の、通信をルーティングするための方法。
【請求項９】
前記方法はさらに、前記通信サービスを終了するステップを含む、
請求項１〜８のうちいずれか１項記載の、通信をルーティングするための方法。
【請求項１０】
前記方法はさらに、通信詳細の記録を保存するステップおよび前記通信についての１つ以上の詳細を傍受する手段へ通知メッセージを送るステップを含み、
前記ステップは前記アプリケーションサーバによって実行される、
請求項９記載の、通信をルーティングするための方法。
【請求項１１】
前記実行するステップは、前記通信サービスの受信者と、ローミングパートナーと、前記アプリケーションサーバのプロバイダによって操作されるネットワークとの間の電話会議として前記通信サービスをルーティングするステップを含む、
請求項１記載の、通信をルーティングするための方法。
【請求項１２】
前記アプリケーションサーバのプロバイダによって操作されるネットワークは、ＶｏＩＰネットワークである、
請求項１１記載の、通信をルーティングするための方法。
【請求項１３】
前記アプリケーションサーバにルーティングするステップは、前記アプリケーションサーバへＳＭＳメッセージを送るステップによって開始される、
請求項１〜１２のうちいずれか１項記載の、通信をルーティングするための方法。
【請求項１４】
モバイルデバイス通信をルーティングするためのシステムであって、
通信サービスについてのサービスリクエストをモバイルデバイスから傍受する傍受手段と；
前記傍受されたサービスリクエストをルーティングするルーティング手段と；
前記傍受されたサービスリクエストを受信するアプリケーションサーバと；
前記リクエストされている通信サービスを前記アプリケーションサーバからの命令に基づいて実行する実行手段と
を含み、
前記傍受手段は、前記モバイルデバイスのＳＩＭカードと、前記モバイルデバイス上のインターフェースとの間に配置された相補的ＳＩＭカードを含み、
前記インターフェースは、前記ＳＩＭカードと通信するように適合される、システム。
【請求項１５】
前記システムはさらに、前記モバイルデバイスを認証する認証手段を含む、
請求項１４記載の、通信をルーティングするためのシステム。
【請求項１６】
前記認証手段は、前記アプリケーションサーバ上に設けられたコンピュータで読み出し可能な命令を含む、
請求項１５記載の、通信をルーティングするためのシステム。
【請求項１７】
前記ルーティング手段は、前記傍受されたリクエストをユーザの地理的領域内のモバイルネットワークオペレータを介して前記アプリケーションサーバへとルーティングする、
請求項１４〜１６のうちいずれか１項記載の、通信をルーティングするためのシステム。
【請求項１８】
前記ルーティング手段は、ユーザデータパケットを前記アプリケーションサーバへと送り、
前記認証手段は、前記データパケット内の１つ以上のデータフィールドに基づき認証を行う、
請求項１７記載の、通信をルーティングするためのシステム。
【請求項１９】
前記１つ以上のデータフィールドは、シリアル番号、前記相補的ＳＩＭと関連付けられた国際モバイル加入者識別（ｆＭＳＩ）、前記相補的ＳＩＭと関連付けられたＭＳＩＳＤＮ（モバイル加入者統合サービスデジタルネットワーク番号）、前記ＳＩＭと関連付けられたＭＳＩＳＤＮ、関連付けられたＤＩＤ（直通社内通話）番号、ＶＳＩＭプロフィール識別情報、発呼電話番号、およびユーザの位置を含む群から選択される、
請求項１８記載の、通信をルーティングするためのシステム。
【請求項２０】
前記アプリケーションサーバはさらに、前記サービスリクエストを認証せよとの認証命令を含む、
請求項１９記載の、通信をルーティングするためのシステム。
【請求項２１】
前記認証命令は、前記リクエストされている通信サービスのうち少なくとも一部を受けるための十分なアカウント残高を前記ユーザが有するかを決定することと、前記ユーザが十分なアカウント残高を有する場合、前記通信サービスの実行を認証することとを含む、
請求項２０記載の、通信をルーティングするためのシステム。
【請求項２２】
前記システムはさらに、前記通信サービスを終了する手段を含む、
請求項１４〜２１のうちいずれか１項記載の、通信をルーティングするためのシステム。
【請求項２３】
前記アプリケーションサーバは、通信詳細の記録を保存し、前記通信についての１つ以上の詳細を傍受する手段へ通知メッセージを送る、
請求項２２記載の、通信をルーティングするためのシステム。
【国際調査報告】
2013534757.tif 000010
2013534757.tif 000011